(57)【要約】      （修正有）【課題】安価でかつ取り扱いや廃棄処理が容易なマスク収納紙袋を提供する。【解決手段】マスク収納紙袋１００は、紙シートの一側部を他側部方向に途中まで折り返して重ね合った両縁部を接着して形成された収納ポケット１２０を備えると共に、紙シートの他側部に引掛穴１４０を備える。外したマスク２００を剥き出しのままテーブルなどに置く必要がなくなるため、落下防止や衛生が保たれると共に、見た目も良好になる。また、マスクの再使用時には、そのまま小さく丸めてゴミ箱に捨てれば、嵩張ることなくそのまま燃えるゴミとして廃棄することができる。【選択図】図５
0003227971.tif 000002
【実用新案登録請求の範囲】
【請求項１】
Ａ４紙または矩形状の紙シートの一側部を他側部方向にその途中まで折り返して重ね合ったその両縁部を接着した収納ポケットを備えると共に、前記紙シートの露出した他側部に引掛穴を穿孔したことを特徴とするマスク収納紙袋。
【請求項２】
請求項１に記載のマスク収納紙袋において、
前記前記収納ポケットの縦横の大きさがそれぞれ１０ｃｍ×２０ｃｍ以上であることを特徴とするマスク収納紙袋。
【考案の詳細な説明】
【技術分野】
【０００１】
本考案は、顔面の口や鼻を覆うマスク（フェイスマスク）を収納できるマスク収納紙袋に関するものである。
【背景技術】
【０００２】
最近の新型コロナウィルス感染症対策として業務中や日常生活においてもマスクが欠かせない存在となっている。特に、病院や未就学児童施設（保育園）、老人ホーム、飲食店、劇場、文化展示施設及びショッピングモールなどといった比較的密になりやすく不特定多数の人が集まる場所では、マスクをしていない人の入場が断られるケースもある。
【０００３】
しかし、飲食時や歯科治療時あるいは理容・美容院やコスメショップのサンプルメイク時などには、必ずマスクを外す必要があるが、外したマスクの置き場所に困ることが多い。外したマスクをテーブルに直に置くとそのまま床に落としたり、不衛生だったり、また、テーブルの水滴や料理などが付着してマスクが濡れたり汚れてしまうことがある。
【０００４】
このため、例えば以下の特許文献１や２のようなマスクを収納するケースを利用する方法が考えられる。すなわち、特許文献１には１枚のプラスチックシートを折り曲げて重ね合わせ、重ね合わさった底辺を溶着加工したマスク収納ケースが提案されている。また、特許文献２には抗菌加工が施されたポリプロピレン材料を用いて開閉可能場部分と圧着による密閉部分を備えたマスク収納ケースが提案されている。
【先行技術文献】
【特許文献】
【０００５】
【特許文献１】実用新案登録第３２１３７２０号公報
【特許文献２】実用新案登録第３１７０８２７号公報
【考案の概要】
【考案が解決しようとする課題】
【０００６】
しかしながら、前述したような従来のマスク収納ケースはプラスチックシートなどを加工してなるものであるため、材料費や製造コストが高くなってしまう。また、プラスチック（合成樹脂）を材料とするため、使用後にゴミ箱などに廃棄した際にそれらが嵩張ったり、分別が必要なプラスチックごみが大幅に増えてしまうといった不都合がある。
【０００７】
そこで、本考案はこれらの課題を解決するために案出されたものであり、その目的は、安価でかつ取り扱いや廃棄処理が容易な新規なマスク収納紙袋を提供するものである。
【課題を解決するための手段】
【０００８】
前記課題を解決するために第１の考案は、Ａ４紙または矩形状の紙シートの一側部を他側部方向にその途中まで折り返して重ね合ったその両縁部を接着した収納ポケットを備えると共に、前記紙シートの露出した他側部に引掛穴を穿孔したことを特徴とするマスク収納紙袋である。このような構成によれば、顔面から外したマスクをその収納ポケットに入れた後、その他側部の引掛穴をフックなどに引っ掛けておく。
【０００９】
これによって、外したマスクを剥き出しのままテーブルなどにおいたり衣服のポケットや鞄などに入れておく必要がなくなるため、落下防止や衛生が保たれると共に、見た目も良好になる。また、マスクの再使用時には、その紙袋はそのまま小さく丸めてゴミ箱に捨てれば、嵩張ることなくそのまま燃えるゴミとして廃棄することができる。
【００１０】
第２の考案は第１の考案において、前記収納ポケットの縦横の大きさがそれぞれ１０ｃｍ×２０ｃｍ以上であることを特徴とするマスク収納紙袋である。通常のマスクのサイズは、横が２０ｃｍ未満、縦が１０ｃｍ未満のものが多いことから、収納ポケットの大きさはこのサイズ以上であれば、殆どのマスクを容易に収納することができる。
【考案の効果】
【００１１】
本考案によれば、外したマスクを剥き出しのままテーブルなどに置いたり衣服のポケットや鞄などに入れておく必要がなくなるため、落下防止や衛生が保たれると共に、見た目も良好になる。また、マスクの再使用時には、そのまま小さく丸めてゴミ箱に捨てれば、嵩張ることなくそのまま燃えるゴミとして廃棄することができる。また、材料としてＡ４サイズのコピー用紙を用いれば、製造コストも安価となる。さらに、収納ポケットの表裏に、文字や写真、図柄などを印刷すれば広告媒体やメッセージカードなどとして活用することができる。
【図面の簡単な説明】
【００１２】
【図１】本考案に係るマスク収納紙袋１００の実施の一形態を示す正面図である。
【図２】本考案に係るマスク収納紙袋１００の実施の一形態を示す裏面図である。
【図３】本考案に係るマスク収納紙袋１００の製造例を示す説明図である。
【図４】外したマスク２００を収納ポケット１２０に入れる状態を示す説明図である。
【図５】マスク２００収納後のマスク収納紙袋１００をフック１５０に吊り下げて保管した状態を示す説明図である。
【図６】本考案に係るマスク収納紙袋１００の他の実施形態を示す説明図である。
【考案を実施するための形態】
【００１３】
以下、本考案の実施の形態を添付図面を参照しながら説明する。図１および図２は本考案に係るマスク収納紙袋１００の実施の一形態を示したものであり、図１はその正面を、図２はその裏面を示したものである。図示するようにこのマスク収納紙袋１００は、矩形状をした紙シート１１０に収納ポケット１２０と引掛穴１４０を備えた構造となっており、例えば図３に示すような工程によって容易に製造できる。
【００１４】
図３はこのマスク収納紙袋１００の製造工程の一例を示したものである。まず、同図（Ａ）に示すように、予め所定の文字や図柄などが印刷された矩形状の紙シート１１０を用意する。この紙シート１１０は、矩形状に裁断されたものであれば特に限定されないが、例えば多くのオフィスや役所、学校などで利用されているＡ４サイズ（縦２９７ｍｍ、横２１０ｍｍ）のコピー用紙（Ａ４紙：ＪＩＳ（日本工業規格））などを用いることが望ましい。
【００１５】
また、この紙シート１１０の上側部（他端部）１１２のほぼ中央部には、引掛穴１４０が予めプレスなどによって穿孔（打ち抜き）されている。そして、この引掛穴１４０は、紙シート１１０の横方向に伸びる幅が約１０ｃｍ程度の短冊状の長穴１４１と、その長穴１４１の中央部に連続するように穿孔された丸穴１４２とからなっている。
【００１６】
次に、同図（Ｂ）に示すようにこのような形状をした紙シート１１０の一側部１１１（図では下側）を折り線Ｌ部分で他側部１１２（図では上側）方向にその途中まで折り返して重ね合わせる。そして、その重ね合わせた部分の両縁部を両面テープ１３０，１３０などによって接着して収納ポケット１２０を作る。なお、この両面テープ１３０，１３０に代えて糊や圧着、針のないホチキスなどによって接着しても良い。また、この折り線Ｌの位置は、Ａ４のコピー用紙の場合では、引掛穴１４０部分と重なり合わないように、例えば一側部１１１の下端から約１３ｃｍ程度とすることが望ましい。
【００１７】
図４乃至図６はこの本考案に係るマスク収納紙袋１００の使用例を示したものである。まず、図４に示すように、利用者はこのマスク収納紙袋１００を手にとってその収納ポケット１２０を開いて顔面から外したマスク２００をその収納ポケット１２０内に収納する。なお、このマスク２００は、通常鼻と口を覆う長方形状のマスク本体２１０の両側に顔面保持用のゴム紐２２０、２２０を備えた構造となっているが、マスク本体２１０と耳に掛ける部分が一体的となった立体マスクであっても同様である。また、このマスク２００は広げた状態でも二つ折りにした状態でもよい。
【００１８】
そして、このようにしてマスク２００を収納ポケット１２０内に収納したならば、図５に示すようにお店やクリニックのテーブルや棚に予め設けられたフック１５０に、その引掛穴１４０から挿入して吊り下げる。なお、この引掛穴１４０は前述したように、短冊状の長穴１４１と丸穴１４２とからなるため、図に示すようなロッド形状のフックの他に、フラット式のフックなど様々な形状のフックにも容易に適用できる。また、図５に示すようにフック１５０に吊り下げるのではなく、そのままマスク収納紙袋１００と一緒に鞄などにしまってもよい。
【００１９】
従って、このような構成をした本考案に係るマスク収納紙袋１００を用いれば、顔面から外したマスク２００を剥き出しのままテーブルなどに置く必要がなくなるため、取り外したマスク２００の落下防止や清潔感が保たれると共に、見た目も良好になる。また、マスク２００を再使用する時には、そのマスク収納紙袋１００は、使用後はそのまま小さく丸めれば、嵩張ることなくそのまま燃えるゴミとして廃棄することができる。また、材料がＡ４紙などの安価な紙シートで足りるため、プラスチック製の従来のものに比べて製造コストも安価となる。さらに、マスク２００を廃棄する場合は、そのままマスク２００を包み込んだ状態でまとめて廃棄することもできる。
【００２０】
さらに、このマスク収納紙袋１００は、その表裏が大きな表示エリアとなっているため、この部分を活用することができる。図１及び図２の例では、表部分に、それがマスクを収納するためのものである旨の「使い捨てマスク収納袋」などの文字を印刷したり、それを提供したり、使用する者を意味する業者名などを印刷している。また、裏面には、その使用方法などを表示しても良い。
【００２１】
また、さらに図６に示すようにこの広い表示エリアを利用してメッセージカードや広告媒体などとして利用することもできる。例えば図６（Ａ）や（Ｂ）に示すようにバースデーカードやメッセージカードとして利用したり、同図（Ｃ）や（Ｄ）に示すようにビジネスを目的とした広告媒体として利用することもできる。なお、このマスク収納紙袋１００大きさとしては、前記のように通常のマスクはそのサイズが、横が２０ｃｍ未満、縦が１０ｃｍ未満のものが多いことから、収納ポケット１２０の大きさはこのサイズ以上であることが望ましいが、マスク２００を二つ折りにすれば、これよりも小さいサイズ（Ｂ５紙やＡ５紙からなるもの）であってもよい。
【符号の説明】
【００２２】
１００…マスク収納紙袋
１１０…紙シート
１１１…一側部
１１２…他側部
１２０…収納ポケット
１３０…両面テープ
１４０…引掛穴
２００…マスク
Ｌ…折り線
【図１】
0003227971.tif 000003
【図２】
0003227971.tif 000004
【図３】
0003227971.tif 000005
【図４】
0003227971.tif 000006
【図５】
0003227971.tif 000007
【図６】
0003227971.tif 000008